(57)【要約】【課題】長尺な装飾部材を束ねるチューブ側に対する接続具の着脱に伴って長尺装飾部材が位置ずれすることを防止できるとともに、様々な他の仕掛け部材との接続が可能な釣用仕掛けを提供する。【解決手段】本発明の釣用仕掛け１は、長尺な複数の装飾部材１０ａ，１０ｂと、該装飾部材を束ねるチューブ７と、チューブ７内に嵌め付けられて装飾部材をチューブ７に対して位置ずれしないように保持する管状の保持部材３とを有する。保持部材３は、該保持部材に対して着脱自在に接続される接続具９を受けるための内孔３ｃを有するとともに、内孔３ｃに対する接続具９の着脱に伴って内孔３ｃの内径寸法が変化可能である。【選択図】  図１
2018014955.tif 000002
【特許請求の範囲】
【請求項１】
長尺な複数の装飾部材と、
前記装飾部材を束ねるチューブと、
前記チューブ内に嵌め付けられて前記装飾部材を前記チューブに対して位置ずれしないように保持する管状の保持部材と、
を有し、
前記保持部材は、該保持部材に対して着脱自在に接続される接続具を受けるための内孔を有するとともに、前記内孔に対する前記接続具の着脱に伴って前記内孔の内径寸法が変化可能であることを特徴とする釣用仕掛け。
【請求項２】
前記保持部材の硬度は、前記接続具のそれ以下であり且つ前記チューブのそれよりも高いことを特徴とする請求項１に記載の釣用仕掛け。
【請求項３】
前記保持部材の伸縮性は、前記接続具のそれよりも高く且つ前記チューブのそれよりも低いことを特徴とする請求項１に記載の釣用仕掛け。
【請求項４】
前記保持部材には、その内径寸法を可変にするスリットがその外周面に全長にわたって形成されることを特徴とする請求項１から３のいずれか一項に記載の釣用仕掛け。
【請求項５】
前記スリットは、前記保持部材の長手軸方向に対して所定の角度を成して延びていることを特徴とする請求項４に記載の釣用仕掛け。
【請求項６】
前記保持部材はその断面形状が多角形を成すことを特徴とする請求項１から５のいずれか一項に記載の釣用仕掛け。
【請求項７】
前記接続具は、釣糸が接続されるとともに、釣針を有するフックアセンブリの一部を構成することを特徴とする請求項１から６のいずれか一項に記載の釣用仕掛け。
【発明の詳細な説明】
【技術分野】
【０００１】
本発明は、釣用仕掛けに関し、特に疑似餌を伴う釣用仕掛けに関する。
【背景技術】
【０００２】
周知のように、疑似餌は、魚やイカといった様々な釣り対象物を誘って釣り上げるために広く用いられている。例えば、鯛釣りでは、鯛ラバと呼ばれる疑似餌を伴う仕掛けが知られており（例えば、特許文献１参照）、また、そのような鯛ラバなどの疑似餌仕掛け（いわゆるラバージグ）は、一般に、金属製のジグヘッドと、ゴムやシリコン等により形成されるスカート（複数本のラバーにより形成される）と、例えばスカートと同様な素材により形成されるとともにスカートを形成する各ラバーよりも幅広なネクタイと、複数の釣針にアシストラインを結び付けて成るフックアセンブリとを備えて成る（例えば、特許文献２及び特許文献３参照）。
【０００３】
そして、そのようなラバージグ仕掛けの一形態として、例えば、ジグヘッドに通された釣糸をフックアセンブリの接続具に接続するとともに、スカート及びネクタイを束ねる例えばシリコン製のチューブ内に前記接続具を圧入することによって構成されるものが知られている。例えば、特許文献１では、フックアセンブリを有するジグヘッドの装着具（接続具に相当）が結果としてゴムバンド（チューブに相当）に圧入されている。
【先行技術文献】
【特許文献】
【０００４】
【特許文献１】特開２００９−６０８６６号公報
【特許文献２】特開２００６−２２３２８４号公報
【特許文献３】特開２０１１−１１００４２号公報
【発明の概要】
【発明が解決しようとする課題】
【０００５】
ところで、スカート（複数本のラバー）及びネクタイを束ねるチューブ内にフックアセンブリの接続具を圧入して成る前述したラバージグ仕掛けでは、釣針を交換する際に１つの問題が生じる。すなわち、一般に、このようなラバージグ仕掛けにおいて、釣針を交換する際には、これらの細かいパーツや細かい作業等に起因して、フックアセンブリ全体を交換する場合が多く、そのような場合には、スカート及びネクタイを束ねるチューブからフックアセンブリの圧入された接続具を引き抜く必要があるが、圧入された接続具をチューブから引き抜く際に、その引き抜き力に起因して、スカート及びネクタイが互いにずれたりチューブから外れたりする虞がある。また、その後、新たなフックアセンブリの接続具をチューブに圧入する際にも、その押し込み力により、互いに揃えられていたスカート及びネクタイの位置がずれてしまう場合がある。例えば、前述した特許文献では、ゴムバンド（チューブ）により装着具（接続具）に固定されるスカート及びネクタイが、ゴムバンドに対する装着具の抜き差しによって互いに位置ずれする虞がある。
【０００６】
また、このようなスカート及びネクタイの位置ずれの問題は、仕掛け収納状態でも生じ得る。すなわち、仕掛け収納時には、前記チューブから前記フックアセンブリを取り外して、これらを分離された状態で仕掛け収納ケース内に収納する場合があるが、その際、チューブにより束ねられただけのスカート及びネクタが収納ケース内の様々な別の仕掛け等と一緒に混在して絡まったり或いは収納ケースを持ち運ぶ際に衝撃などを受け、互いに揃えられていたスカート及びネクタイの位置がずれてしまう場合もある。
【０００７】
更に、このような問題は、鯛ラバなどのラバージグに限らず、スカートやネクタイなどの長尺な装飾部材を束ねて成る様々な釣用仕掛けにおいて生じ得る。
【０００８】
また、この種の仕掛けでは、フックアセンブリに限らず、様々な機能を有する仕掛け部材の接続具（したがって、様々な径の接続具）を前記チューブ側で受け入れて保持できるようにしたいという要望もある。
【０００９】
本発明は、上記した問題に着目してなされたものであり、長尺な装飾部材を束ねるチューブ側に対する接続具の着脱に伴って長尺装飾部材が位置ずれすることを防止できるとともに、様々な他の仕掛け部材との接続が可能な釣用仕掛けを提供することを目的とする。
【課題を解決するための手段】
【００１０】
上記した目的を達成するために、本発明の釣用仕掛けは、長尺な複数の装飾部材と、
前記装飾部材を束ねるチューブと、前記チューブ内に嵌め付けられて前記装飾部材を前記チューブに対して位置ずれしないように保持する管状の保持部材とを有し、前記保持部材は、該保持部材に対して着脱自在に接続される接続具を受けるための内孔を有するとともに、前記内孔に対する前記接続具の着脱に伴って前記内孔の内径寸法が変化可能であることを特徴とする。
【００１１】
このように、上記構成では、前述した従来技術のように長尺な装飾部材を束ねるチューブに接続具を直接に圧入するのではなく、前記装飾部材を前記チューブに対して位置ずれしないように保持する管状の保持部材がチューブ内に嵌め付けられており、この保持部材に対して接続具を着脱自在に取り付けるようにしているため、チューブ側（すなわち保持部材）に対する接続具の着脱に伴って長尺装飾部材が位置ずれすることを防止できる。しかも、上記構成において、保持部材は、その内孔に対する接続具の着脱に伴って内孔の内径寸法が変化可能であるため、内孔への接続具の挿入を例えば内孔の拡径によって許容できるとともに、挿入された接続具をその拡大された内径のまま或いはその後の内孔の縮径によって保持することもできる。すなわち、保持部材は、様々な他の仕掛け部材の接続具（したがって、様々な径の接続具）との接続が可能である。また、保持部材の内径のこの可変性は、保持部材に対する接続具の着脱操作も容易にし得る。
【発明の効果】
【００１２】
本発明によれば、長尺な装飾部材を束ねるチューブ側に対する接続具の着脱に伴って長尺装飾部材が位置ずれすることを防止できるとともに、様々な他の仕掛け部材との接続が可能な釣用仕掛けが得られる。
【図面の簡単な説明】
【００１３】
【図１】本発明の一実施形態に係る釣用仕掛け、及び、それに接続可能なフックアセンブリの概略図である。
【図２】装飾部材を束ねるチューブに保持部材が嵌め付けられた状態を示す本発明の一実施形態に係る釣用仕掛けの概念的な側面図である。
【図３】（ａ）は図１のフックアセンブリの接続具の斜視図、（ｂ）は釣用仕掛けの保持部材にフックアセンブリの接続具が取り付けられた状態を示す斜視図である。
【図４】装飾部材を束ねるチューブに保持部材が嵌め付けられた状態を示す概念的な斜視図である。
【図５】（ａ）は、装飾部材を束ねるチューブに軸方向スリットを有する保持部材が嵌め付けられた状態であって、接続具が取り付けられていない保持部材の縮径状態を示す概念的な斜視図、（ｂ）は、（ａ）の状態から保持部材に接続具（図示せず）が取り付けられて保持部材が拡径する状態を示す概念的な斜視図である。
【図６】（ａ）は、装飾部材を束ねるチューブに傾斜スリットを有する保持部材が嵌め付けられた状態であって、接続具が取り付けられていない保持部材の縮径状態を示す概念的な斜視図、（ｂ）は、（ａ）の状態から保持部材に接続具（図示せず）が取り付けられて保持部材が拡径する状態を示す概念的な斜視図である。
【図７】接続具のテーパ状に先細る先端側部位を断面が正方形状の保持部材に取り付けようとしている状態を示す斜視図である。
【図８】（ａ）は、図７の取り付け形態における保持部材の拡径前の状態を示す正面図、（ｂ）は、図７の取り付け形態における保持部材の拡径後の状態を示す正面図である。
【図９】図８の（ｂ）の保持部材拡径状態から、接続具の先細りテーパ状の先端側部位が保持部材の内孔を乗り越えて、接続具の係止縁部が保持部材の端面と係止した状態を示す斜視図である。
【図１０】図７乃至図９の取り付け形態の変形例を示し、（ａ）は保持部材の拡径前の状態を示す正面図、（ｂ）は保持部材の拡径後の状態を示す正面図である。
【発明を実施するための形態】
【００１４】
以下、添付図面を参照しながら、本発明の実施形態に係る釣用仕掛けについて具体的に説明する。
図１には、本発明の一実施形態に係る釣用仕掛け１、及び、これに接続可能なフックアセンブリ５の全体図が示されている。釣用仕掛け１は、例えば図示しない金属製のジグヘッドと共に鯛ラバ（ラバージグ）を形成することもでき、その主要な構成要素として、図示のように、長尺な複数の装飾部材１０ａ，１０ｂ、例えば、ゴムやシリコン等により形成されるスカート（このスカートは、複数本のラバー１０ａにより形成される）、及び、例えばスカートと同様な素材により形成されるとともにスカートを形成する各ラバー１０ａよりも幅広なネクタイ１０ｂを有するとともに、これらのスカートのラバー１０ａ及びネクタイ１０ｂをそれらの長手方向中心付近で束ねる例えばシリコン製の結束チューブ（以下、単にチューブという）７と、チューブ７内に嵌め付けられて装飾部材１０ａ，１０ｂをチューブ７に対して位置ずれしないように保持する管状の保持部材３とを有する。なお、このような釣用仕掛け１に接続可能なフックアセンブリ５は、釣糸１９が接続可能な接続具９を有するとともに、この接続具９及び複数の釣針１３にアシストライン１２を結び付けて成る。なお、図示のようにフックアセンブリ５の釣針１３に疑似餌又は更なる装飾部材１４が取り付けられてもよい。
【００１５】
そして、このような構成を成す釣用仕掛け１は、例えば、図示しない前記ジグヘッドに通された釣糸１９をフックアセンブリ５の接続具９に接続するとともに、スカートのラバー１０ａ及びネクタイ１０ｂをそれらの長手方向中心付近で束ねるチューブ７内に嵌め付けられた保持部材３の内孔３ｃ（図２参照）に接続具９を釣糸１９と共に図１に矢印で示されるように通して着脱自在に取り付けることによって組み付けられる。
【００１６】
ここで、図２に明確に示されるように、スカートのラバー１０ａ及びネクタイ１０ｂを束ねるチューブ７は円筒状を成している。また、保持部材３は、管状を成しており、チューブ７内に嵌め付けられることによりスカートのラバー１０ａ及びネクタイ１０ｂをチューブ７に対して位置ずれしないように保持する。特に、本実施形態において、保持部材３は、チューブ７内に圧入されることにより、特に図４に明確に示されるようにその外面とチューブ７の内面との間でスカートのラバー１０ａ及びネクタイ１０ｂを挟持する。なお、図２は、スカートのラバー１０ａ及びネクタイ１０ｂをその幅寸法が差別化されることなく概略的にしか示しておらず（図４〜図６も同様）、また、図４は、保持部材３の形態を概略的にしか示していない。
【００１７】
具体的に、保持部材３は、図２に明確に示されるように、内孔３ｃを有する管状体として形成されており、チューブ７内に挿通される筒状の本体部３ａを有する。この本体部３ａは、チューブ７への挿通を容易にするべくその先端面３ｄが先細り状の傾斜面として形成されており、また、本体部３ａをチューブ７内に所定量挿入した状態でチューブ７の基端面に当接することによりチューブ７内への本体部３ａの挿入量を規定（規制）する環状のフランジ部３ｂを基端に有する。
【００１８】
また、フックアセンブリ５の接続具９は、図３の（ａ）に示されるように、釣針１３に結び付けられるアシストライン１２（図１参照）を接続するための接続孔９ｃと、アシストライン１２の結び目を受け入れることができる切り欠き９ｄとを有する大径の（例えば砲弾形状を成す）頭部９ａを備える。また、この頭部９ａからは保持部材３の内孔３ｃに挿通可能な小径（例えば保持部材３の内孔３ｃの内径とほぼ等しい外径寸法又はそれより大きくてもよい）の挿通部９ｇが延びており、それにより、頭部９ａと挿通部９ｇとの間には、挿通部９ｇを保持部材３の内孔３ｃに所定量挿入した状態で保持部材３のフランジ部３ｂに当接して保持部材３内への挿通部９ｇの挿入量を規定（規制）する段差状の環状端面９ｂが形成される。
【００１９】
また、挿通部９ｇの外表面には環状の係止部９ｉが設けられる。この係止部９ｉは、図３の（ｂ）に示されるような保持部材３の内孔３ｃへの挿通部９ｇの挿通時に保持部材３を弾性的に拡径させる（拡径できる保持部材３の性質については後述する）とともに、内孔３ｃを通り過ぎた際に図３の（ｂ）に示されるように保持部材３の端面３ｄと係止して保持部材３からの接続具９の外れを規制する。更に、この係止部９ｉからは、環状端面９ｂが保持部材３のフランジ部３ｂに当接して係止部９ｉが保持部材３の端面３ｄと係止した取り付け状態（図３の（ｂ）の状態）で保持部材３の端面３ｄから外側に突出する釣糸接続部９ｈが延びている。この釣糸接続部９ｈは、例えば挿通部９ｇと略同様の外径寸法を有していてもよく、釣糸１９（図１参照）を接続するための接続孔９ｆと、釣糸１９の結び目を受け入れることができる切り欠き９ｅとを有する。
【００２０】
また、本実施形態において、保持部材３は、その内孔３ｃに対する接続具９の着脱に伴ってその内径寸法が変わることができるようになっている。そのような内径可変性は、例えば保持部材３の材料特性によって実現されてもよい。その場合、チューブ７、保持部材３、及び、接続具９のそれぞれに関して異なる素材を組み合わせ、例えば、保持部材３の硬度及び／又は伸縮性をチューブ７及び／又は接続具９のそれに対して異ならせてもよい。具体的には、保持部材３の硬度を接続具９のそれ以下とし且つチューブ７のそれよりも高く設定する。或いは、保持部材３の伸縮性を接続具９のそれよりも高く且つチューブ７のそれよりも低く設定する。そのような素材の組み合わせとしては、例えば、チューブ７として、シリコン、天然ゴム、合成ゴム、エラストマーを挙げることができ、保持部材３として、ＰＳ、ＰＥ、ＥＶＡ、ＰＡなどの合成樹脂を挙げることができ、また、接続具９など、保持部材３に対して着脱自在に取り付けられる他のシール掛け部材の接続具として、シリコン、天然ゴム、合成ゴム、エラストマーを挙げることができる。
【００２１】
また、保持部材３の内径可変性は、このように素材の材料特性によって実現されてもよいが、図５に示されるように保持部材にスリット２０を設けるなどして、機械的な手段により実現されてもよい。例えば、図５に示されるスリット２０に関し、このスリット２０は、図示のように、保持部材３Ａ（単なる筒状であるが、図２に示される保持部材３と同一形態を成していてもよい）の外周面にその長手軸方向の全長にわたって延びる軸方向スリットとして形成される。
【００２２】
ここで、図５（ａ）は、スカートのラバー１０ａ及びネクタイ１０ｂを束ねるチューブ７に保持部材３Ａが嵌め付けられた状態であって、接続具９が取り付けられていない保持部材３Ａの縮径状態を示し、また、図５（ｂ）は、図５（ａ）の状態から保持部材３Ａに接続具９（ここには図示されない）が取り付けられて保持部材３Ａが拡径した状態を示している。このように、スリット２０の存在により、保持部材３Ａは、その内孔３ｃに対する接続具９の着脱に伴ってその内径寸法が変化可能となる。
【００２３】
なお、図６には、スリットの形成形態の変形例が示されている。図示のように、このスリット２０Ａは、保持部材３Ｂ（単なる筒状であるが、図２に示される保持部材３と同一形態を成していてもよい）の長手軸方向に対して所定の角度を成して延びる傾斜スリットとして形成される。このように、スリット２０Ａを傾斜スリットとして形成すると、長手軸方向に延びるスカートのラバー１０ａ及びネクタイ１０ｂの延在方向とスリット２０Ａの延在方向とが一致しないため、接続具９を保持部材３の内孔３ｃに挿入することにより保持部材３が拡径してスリット２０Ａが開放しても（図６（ｂ）の状態）、スカートのラバー１０ａ及びネクタイ１０ｂがスリット２０Ａに挟まり難く、また、スカートのラバー１０ａ及びネクタイ１０ｂが保持部材３の内孔３ｃへ入り込むことも防止できる。
【００２４】
以上のように、本実施形態では、前述した従来技術のようにスカートのラバー１０ａ及びネクタイ１０ｂを束ねるチューブ７にフックアセンブリ５の接続具９を直接に圧入するのではなく、ラバー１０ａ及びネクタイ１０ｂをチューブ７に対して位置ずれしないように保持する管状の保持部材３がチューブ７内に嵌め付けられており、この保持部材３に対してフックアセンブリ５の接続具９を着脱自在に取り付けるようにしているため、チューブ７側（すなわち保持部材３）に対する接続具９の着脱に伴ってラバー１０ａ及びネクタイ１０ｂが位置ずれすること（本実施形態では、フックアセンブリ５の交換に伴うラバー１０ａ及びネクタイ１０ｂの位置ずれ）を防止できる。しかも、本実施形態において、保持部材３は、その内孔３ｃに対する接続具９の着脱に伴って内孔３ｃの内径寸法が変化可能であるため、内孔３ｃへの接続具９の挿入を例えば内孔３ｃの拡径によって許容できるとともに、挿入された接続具９をその拡大された内径３ｃのまま或いはその後の内孔３ｃの縮径によって保持することもできる。すなわち、保持部材３は、様々な他の仕掛け部材の接続具（したがって、様々な径の接続具）との接続が可能である。また、保持部材３の内径のこの可変性は、保持部材３に対する接続具の着脱操作も容易にし得る。
【００２５】
図７〜図９には、保持部材と接続具との着脱形態の変形例が示されている。この変形例においても、保持部材は、その内孔に対する接続具の着脱に伴ってその内径寸法が変化可能であるが、この変形例では、保持部材と接続具のそれぞれの形状が前述した実施形態と異なる。
【００２６】
すなわち、図７に示されるように、この変形例において、保持部材３Ｃはその断面形状が多角形（図では、正方形であるが、三角形、五角形、六角形等であっても構わない）を成している。また、接続具９Ｂは、保持部材３Ｃに対するその着脱時に保持部材３Ｃの内孔３ｃに挿通部９ｇと共に挿通される先端側部位３０がテーパ状に先細っている。具体的には、先端側部位３０は、保持部材３Ｃの内孔３ｃに内接する外径を有する円形先端面３０ａから基端側に向かって漸進的に外径が大きくなるテーパ状に形成されており、保持部材３Ｃの内孔３ｃへの挿通時に保持部材３Ｃを次第に弾性的に拡径させるようになっている。また、先端側部位３０は、それが内孔３ｃを通過した際に保持部材３Ｃの端面３ｄ’と係止して保持部材３Ｃからの接続具９Ｂの外れを規制する円形の係止部（係止縁部）３０ｂを基端に有する。
【００２７】
したがって、このような構成において、保持部材３Ｃの内孔３ｃに接続具９Ｂの先端側部位３０を挿通し始める図８（ａ）に示される段階では、接続具９Ｂの円形先端面３０ａが保持部材３Ｃの内孔３ｃに内接するため、保持部材３Ｃが拡径しないが、この段階から更に保持部材３Ｃの内孔３ｃに接続具９Ｂの先端側部位３０を押し込んでいくと、図８（ｂ）に示されるように保持部材３Ｃが弾性的に変形して拡径する。そして、図９に示されるように、接続具９Ｂの先端側部位３０が保持部材３Ｃの内孔３ｃを通過して、接続具９Ｂの係止部３０ｂが保持部材３Ｃの端面３ｄ’に係止すると、保持部材３Ｃは元の状態（図８（ａ）の状態）に弾性的に復元して縮径する。これにより、接続具９Ｂが保持部材３Ｃに保持されるとともに、持部材３Ｃからの接続具９Ｂの外れが規制される。
【００２８】
図１０は、図７〜図９の取り付け形態の更なる変形例を示している。この変形例は、保持部材３Ｄの断面が円形である点を除き、図７〜図９の変形例と同様である。この場合、保持部材３Ｄの内周面には、例えば９０度の等しい角度間隔を隔てて、接続具９Ｂの円形先端面３０ａが内接し得る４つの突起４０が形成されている。したがって、図７〜図９の変形例と同様、保持部材３Ｄの内孔３ｃに接続具９Ｂの先端側部位３０を挿通し始める図１０（ａ）に示される段階では、接続具９Ｂの円形先端面３０ａが保持部材３Ｄの突起４０に内接するため、保持部材３Ｄが拡径しないが、この段階から更に保持部材３Ｄの内孔３ｃに接続具９Ｂの先端側部位３０を押し込んでいくと、図１０（ｂ）に示されるように保持部材３Ｄが弾性的に変形して拡径する。そして、図示しないが、接続具９Ｂの先端側部位３０が保持部材３Ｄの内孔３ｃを通過して、接続具９Ｂの係止部３０ｂが保持部材３Ｄの端面に係止すると、保持部材３Ｄは元の状態（図１０（ａ）の状態）に弾性的に復元して縮径する。これにより、接続具９Ｂが保持部材３Ｄに保持されるとともに、保持持部材３Ｄからの接続具９Ｂの外れが規制される。
【００２９】
以上、本発明の実施形態について説明したが、本発明は、前述した実施形態に限定されず、その要旨を逸脱しない範囲で種々変形して実施できる。例えば、前述した実施形態では、本発明が鯛ラバなどのラバージグに適用されたが、本発明は、そのようなラバージグに限らず、スカートやネクタイなどの長尺な装飾部材を束ねて接続具を着脱可能にする様々な釣用仕掛けにおいて適用できる。また、保持部材に接続される接続具は、前述した実施形態のようなフックアセンブリの接続具に限らず、（保持部材の内径可変性により）様々な他の仕掛け部材の接続具を保持部に接続することができる。
【符号の説明】
【００３０】
１  釣用仕掛け
３  保持部材
３ｃ  内孔
５  フックアセンブリ
７  チューブ
９  接続具
１０ａ  スカートを形成するラバー（長尺な装飾部材）
１０ｂ  ネクタイ（長尺な装飾部材）
１３  釣針
１９  釣糸
２０，２０Ａ  スリット
【図１】
2018014955.tif 000003
【図２】
2018014955.tif 000004
【図３】
2018014955.tif 000005
【図４】
2018014955.tif 000006
【図５】
2018014955.tif 000007
【図６】
2018014955.tif 000008
【図７】
2018014955.tif 000009
【図８】
2018014955.tif 000010
【図９】
2018014955.tif 000011
【図１０】
2018014955.tif 000012